(57)【要約】【課題】迅速な避難を実行しつつ、避難状況を正確に把握できる防災システムの提供。【解決手段】学校の敷地Ａ内に設けられ、災害が発生したときに警報を表示する大型警報表示器１と、学校の敷地Ａから避難地１６までの避難経路に配置され、災害の発生に応じて学校の敷地Ａのうち警戒地域に対応する信号を発信する発信機１０〜１２と、発信機１０〜１２から発信された信号を受信する受信機５と、受信機５が受信した信号に基づいて警戒地域を特定する送信元識別部５Ｂと、送信元識別部５Ｂによって特定された警戒地域を文字データに変換して大型警報表示器１へ表示させるコントローラ６と、受信機５が避難経路を移動する発信機１０〜１２から受信した信号に基づいて、送信元識別部５Ｂによって特定された警戒地域に対する避難状況を判定する避難状況判定部５Ｄとを備え、大型警報表示器１は、避難状況判定部５Ｄによって判定された避難状況を表示する。【選択図】図１
2014099038.tif 000002
【特許請求の範囲】
【請求項１】
建物の敷地内に設けられ、災害が発生したときに警報を表示する警報表示器と、前記建物の敷地から避難地までの避難経路に配置され、災害の発生に応じて前記建物の敷地のうち警戒地域に対応する信号を発信する発信機と、この発信機と有線又は無線で接続され、前記発信機から発信された前記信号を受信する受信機と、この受信機が受信した前記信号に基づいて前記警戒地域を特定する送信元識別部と、この送信元識別部によって特定された前記警戒地域を文字データに変換して前記警報表示器へ表示させるコントローラとを備えた防災システムにおいて、
前記受信機が前記避難経路を移動する前記発信機から受信した前記信号に基づいて、前記送信元識別部によって特定された前記警戒地域に対する避難状況を判定する避難状況判定部を備え、
前記警報表示器は、前記避難状況判定部によって判定された前記避難状況を表示することを特徴とする防災システム。
【請求項２】
請求項１に記載の防災システムにおいて、
前記建物の敷地内に設けられ、前記避難経路の途中を移動する前記発信機から前記受信機へ発信される前記信号を中継する第１の中継器と、
前記避難地の近傍に設けられ、前記避難地へ到着する際に前記発信機から前記受信機へ発信される前記信号を中継する第２の中継器と、
前記受信機が受信した前記信号がこれらの第１の中継器及び第２の中継器のうち、いずれの中継器を経由したのかを識別する中継器識別部とを備え、
前記避難状況判定部は、前記中継器識別部によって識別された中継器の情報に基づいて、前記避難状況を判定することを特徴とする防災システム。
【請求項３】
請求項２に記載の防災システムにおいて、
前記発信機は、
前記警戒地域に設けられた押釦型送信機と、
可搬可能に構成された可搬型送信機とを含み、
前記避難状況判定部は、災害が発生して前記受信機が受信した前記信号が前記押釦型送信機から発信されたものである場合に、前記避難状況を避難開始と判定し、前記受信機が受信した前記信号が前記可搬型送信機から発信されたものであり、当該信号が前記中継器識別部によって前記第１の中継器を経由したと識別された場合に、前記避難状況を避難中と判定し、前記受信機が受信した前記信号が前記可搬型送信機から発信されたものであり、当該信号が前記中継器識別部によって前記第２の中継器を経由したと識別され、前記受信機が当該信号を受信しなくなった場合に、前記避難状況を避難完了と判定することを特徴とする防災システム。
【請求項４】
請求項１ないし３のいずれか１項に記載の防災システムにおいて、
前記警報表示器は、
複数個のＬＥＤから構成されるＬＥＤ表示部と、
このＬＥＤ表示部に前記警報が表示されたときに点滅するフラッシュランプと、
前記ＬＥＤ表示部に前記警報が表示されたときに鳴動するサイレンとを有することを特徴とする防災システム。
【発明の詳細な説明】
【技術分野】
【０００１】
本発明は、災害が発生したときに備える防災システムに係り、特に実際に災害が発生したときの避難や避難訓練に好適な防災システムに関する。
【背景技術】
【０００２】
この種の防災システムの従来技術の１つとして、例えば学校等に適用され、異常の発生をその内容を含めて通報して生徒等の点呼や避難誘導等を行う防災システムが知られている（例えば、特許文献１参照）。
【０００３】
具体的には、この従来技術の防災システムは、携帯無線端末と、校内ネットワークを介して携帯無線端末と通信するセンタ通信装置と、校内ネットワークを携帯無線端末とを接続するアクセスポイントとを備え、これらの携帯無線端末、センタ通信装置、及びアクセスポイントを利用した３つの機能が開示されている。
【０００４】
これらの３つの機能は携帯無線端末に格納されており、そのうち第１の機能は、当該携帯無線端末の所持者が管轄するメンバーの出欠状況を登録し確認する機能である。第２の機能は、異常事態発生時の避難経路を当該携帯無線端末がアクセス可能なアクセスポイントの位置情報をキーとして検索し取得する機能である。第３の機能は、異常事態発生時にその異常事態の内容に応じた緊急通報とアクセス可能なアクセスポイントの位置情報とを校内ネットワークを介してセンタ通信装置へ備えられた通報用釦の操作のみで通報する機能である。
【先行技術文献】
【特許文献】
【０００５】
【特許文献１】特開２００６−８５２５０号公報
【発明の概要】
【発明が解決しようとする課題】
【０００６】
上述した特許文献１に開示された従来技術の防災システムは、建物として例えば小学校を想定すると、災害が発生したときに避難誘導者である教職員が携帯無線端末を使用して児童の出欠状況を登録し確認するようにしているが、児童は教室にいるとは限らないので、児童の出欠点呼の確認作業を行っていないこともあり、このような実情が反映されていない。一般的に、災害が発生したときの児童の出欠状況の確認は避難終了後に行われるので、従来技術の防災システムのように災害が発生した直後に児童の出欠状況を確認することは、迅速な避難の妨げになる虞がある。
【０００７】
また、地震、津波及び火災等の災害が発生した場合には、教室にいる児童を速やかに避難地へ移動させる必要があるが、従来技術の防災システムは、携帯無線端末のメニュー項目から避難経路のモードを選択し、携帯無線端末の表示画面に表示された避難経路を確認するようにしているので、この確認作業に時間を取られ、迅速な避難が図れない虞がある。
【０００８】
本来、避難地や避難経路は予め定められているので、避難地や避難経路を確認することよりも、避難が開始されたのか、避難中であるのか、及び避難が完了したのか等の避難状況を把握することが重要になっている。従来技術の防災システムでは、このような教職員による避難状況の報告が携帯無線端末からセンタ通信装置へ送信されるメールや音声等で行われるので、センタ通信装置が受信したメールや音声等を確認する他の教職員にとっては避難状況を把握し難く、避難状況が正確に伝わらないことが懸念されている。
【０００９】
本発明は、このような従来技術の実情からなされたもので、その目的は、迅速な避難を実行しつつ、避難状況を正確に把握できる防災システムを提供することにある。
【課題を解決するための手段】
【００１０】
上記の目的を達成するために、本発明の防災システムは、建物の敷地内に設けられ、災害が発生したときに警報を表示する警報表示器と、前記建物の敷地から避難地までの避難経路に配置され、災害の発生に応じて前記建物の敷地のうち警戒地域に対応する信号を発信する発信機と、この発信機と有線又は無線で接続され、前記発信機から発信された前記信号を受信する受信機と、この受信機が受信した前記信号に基づいて前記警戒地域を特定する送信元識別部と、この送信元識別部によって特定された前記警戒地域を文字データに変換して前記警報表示器へ表示させるコントローラとを備えた防災システムにおいて、前記受信機が前記避難経路を移動する前記発信機から受信した前記信号に基づいて、前記送信元識別部によって特定された前記警戒地域に対する避難状況を判定する避難状況判定部を備え、前記警報表示器は、前記避難状況判定部によって判定された前記避難状況を表示することを特徴としている。
【発明の効果】
【００１１】
本発明の防災システムによれば、迅速な避難を実行しつつ、避難状況を正確に把握できる。前述した以外の課題、構成及び効果は、以下の実施形態の説明により明らかにされる。
【図面の簡単な説明】
【００１２】
【図１】本発明の防災システムの一実施形態の構成を示す図である。
【図２】本実施形態に係る学校の敷地を説明する図であり、特にこの学校の敷地内における第１の中継器及び第２の中継器の配置を説明する図である。
【図３】本実施形態の動作を説明する図である。
【発明を実施するための形態】
【００１３】
以下、本発明に係る防災システムを実施するための形態を図に基づいて説明する。
【００１４】
本発明に係る防災システムの一実施形態は、建物として例えば図２に示すように学校に適用される。この学校の敷地Ａには、例えば学校の教室１７、体育館（図示せず）、教職員室１３、プール１４、及び運動場１５がある。そして、本実施形態では、災害が発生したときに備え、学校の敷地Ａから避難地１６までの避難経路が予め設定されている。
【００１５】
ここで、学校では災害が発生したときに各教室１７単位で担当する教職員の指示の下で避難が行われることが想定されるので、各教室１７が学校の敷地Ａのうち避難への警戒が行われる警戒地域として設定されている。また、避難地１６は学校の敷地Ａ外に設定されており、避難経路は、例えば教職員室１３の近傍を通過する経路となっている。なお、有事における対応指示を行う教職員の責任者として、例えば教頭が選任されている。
【００１６】
本実施形態は、学校の敷地Ａ内に設けられ、災害が発生したときに警報を表示する警報表示器を備えており、この警報表示器は、例えば図１、図２に示すように教職員室１３内の各場所から表示された内容を教職員が確認できるように学校の職員室１３の天井近傍の高所に設置され、大型に構成された大型警報表示器１から成っている。
【００１７】
また、大型警報表示器１は、例えば横２０個及び縦１５個の合計３００個のＬＥＤから構成され、警戒地域や警報等を表示するＬＥＤ表示部２と、このＬＥＤ表示部２に警報が表示されたときに点滅するフラッシュランプ３と、ＬＥＤ表示部２に警報が表示されたときに鳴動するサイレン４とを有している。
【００１８】
ＬＥＤ表示部２は、例えば大型警報表示器１の正面側から見て中央に配置されており、フラッシュランプ３は、例えばＬＥＤ表示部２の左側方に配置され、サイレン４は、例えばＬＥＤ表示部２の右側方に配置されている。また、フラッシュランプ３は、例えば頂点が表面から前方へ突出した三角柱に形成されたプラスチック状の筒体３ａと、この筒体３ａ内に収容された複数のＬＥＤ（図示せず）から成っている。
【００１９】
本実施形態は、学校の敷地Ａ内の警戒地域から避難地１６までの避難経路に配置され、災害の発生に応じて警戒地域に対応する信号を発信する発信機を備え、この発信機は、例えば各教室１７に設けられ、押下することで信号を出力する複数の押釦型送信機１０と、可搬可能に構成された可搬型送信機とを含んでいる。
【００２０】
本実施形態では、この可搬型送信機は例えば２種類の型があり、一方は、ペンダント型の形状に形成され、教職員の衣服等に取付けて可搬するペンダント型送信機１１から成っている。他方は、腕時計の内部に格納され、腕時計を教職員の腕に装着して可搬する腕時計型送信機１２から成っている。これらのペンダント型送信機１１及び腕時計型送信機１２には、例えば押釦型送信機１０と同様の機能を有する押釦１１ａ，１２ａがそれぞれ設けられている。
【００２１】
本実施形態では、押釦型送信機１０は、例えば各教室１７に少なくとも１個設置されており、各教室１７よりも面積が広い体育館には複数個設置されることにより、各教室１７の教職員が押釦型送信機１０を有事に押下して操作するようにしている。また、プール１４や運動場１５では、押釦型送信機１０の代わりに、各教室１７の教職員が装着して可搬可能であるペンダント型送信機１１や腕時計型送信機１２の押釦１１ａ，１２ａを押下することにより、押釦型送信機１０を設置できない場所への対応を行うようにしている。
【００２２】
また、本実施形態は、押釦型送信機１０、ペンダント型送信機１１、及び腕時計型送信機１２と無線で接続され、これらの押釦型送信機１０、ペンダント型送信機１１、及び腕時計型送信機１２から出力された信号を受信する受信機５を備えている。この受信機５は、例えば受信部５Ａと、この受信部５Ａが受信した信号に基づいて警戒地域を特定する送信元識別部５Ｂとを有している。さらに、本実施形態は、この送信元識別部５Ｂによって特定された警戒地域を文字データに変換して大型警報表示器１のＬＥＤ表示部２へ表示させるコントローラ６を備えている。
【００２３】
従って、受信機５は、例えば押釦型送信機１０、ペンダント型送信機１１、及び腕時計型送信機１２から出力された警報信号や復旧信号等の各種の信号を受信すると、送信元の識別信号や警報信号等の種別信号をコントローラ６へ出力するようになっており、これらの信号が入力されたコントローラ６は、例えば大型警報表示器１へ表示するための文字データを抽出し、大型警報表示器１へ文字データ信号を出力するようにしている。
【００２４】
また、本実施形態は、コントローラ６に接続され、所定の振動を超える地震を検出して信号をコントローラ６へ出力する地震計８を備えており、コントローラ６は、この地震計８から信号が入力されることにより、災害発生の文字データ信号を大型警報表示器１へ出力するようにしている。
【００２５】
さらに、本実施形態は、コントローラ６に接続されたパソコン７を備えており、このパソコン７は、例えば新年度のクラス変更に伴って押釦型送信機１０から出力される識別信号に対するクラス名の変更を含む文字データの書換え、受信機５から出力される信号の確認、及びコントローラ６の記憶装置（図示せず）に格納される履歴情報の取得等の保守作業に用いられる。
【００２６】
また、コントローラ６は、災害が発生したときや避難訓練を行うときに押下することによって災害発生信号を出力する災害発生押釦６Ａと、大型警報表示器１の表示を含めた全ての警報をリセットする警報リセット釦６Ｂとを有している。なお、受信機５及びコントローラ６は、例えば指示対応が迅速に行われるように有事における対応指示を行う教職員の責任者である教頭の教頭席の近傍の壁に設置されている。
【００２７】
本実施形態は、学校の敷地Ａ内に設けられ、避難経路の途中を移動するペンダント型送信機１１及び腕時計型送信機１２から受信機５へ発信される信号を中継する第１の中継器９Ａと、避難地１６の近傍に設けられ、避難地１６へ到着する際にペンダント型送信機１１及び腕時計型送信機１２から受信機５へ発信される信号を中継する第２の中継器９Ｂとを備えている。
【００２８】
受信機５は、例えば受信部５Ａ及び送信元識別部５Ｂの他に、受信部５Ａが避難経路を移動するペンダント型送信機１１又は腕時計型送信機１２から受信した信号に基づいて、送信元識別部５Ｂによって特定された警戒地域に対する避難状況を判定する避難状況判定部５Ｄを備えている。
【００２９】
具体的には、第１の中継器９Ａは、例えば電波の受信が良好な教職員室１３の外壁に設置され、第２の中継器９Ｂは、例えばペンダント型送信機１１又は腕時計型送信機１２を持参する教職員が避難地１６へ到着したときにペンダント型送信機１１又は腕時計型送信機１２からの信号が受信不能となる位置に設置されている。
【００３０】
受信機５は、例えば受信部５Ａが受信した信号が第１の中継器９Ａ及び第２の中継器９Ｂのうち、いずれの中継器を経由したのかを識別する中継器識別部５Ｃを有しており、避難状況判定部５Ｄは、例えば中継器識別部５Ｃによって識別された中継器の情報に基づいて、避難状況を判定するようにしている。
【００３１】
そして、避難状況判定部５Ｄは、例えば災害が発生して受信機５が受信した信号が押釦型送信機１０から発信されたものである場合に、避難状況を避難開始と判定するようにしている。また、避難状況判定部５Ｄは、例えば受信機５が受信した信号がペンダント型送信機１１又は腕時計型送信機１２から発信されたものであり、当該信号が中継器識別部５Ｃによって第１の中継器９Ａを経由したと識別された場合に、避難状況を避難中と判定するようにしている。
【００３２】
一方、避難状況判定部５Ｄは、例えば受信機５が受信した信号がペンダント型送信機１１又は腕時計型送信機１２から発信されたものであり、当該信号が中継器識別部５Ｃによって第２の中継器９Ｂを経由したと識別され、受信機５が当該信号を受信しなくなった場合に、避難状況を避難完了と判定するようにしている。なお、本実施形態では、大型警報表示器１、受信機５、コントローラ６、第１の中継器９Ａ、及び第２の中継器９Ｂは、災害が発生したときに生じる停電に備え、停電が発生したときにこれらの大型警報表示器１、受信機５、コントローラ６、第１の中継器９Ａ、及び第２の中継器９Ｂへ電力の供給を行う非常用電源装置（図示せず）又は二次電池（図示せず）を有している。
【００３３】
次に、本実施形態の動作を図３のフローチャートに基づいて詳細に説明する。なお、以下の説明において、警戒地域である各教室のうち例えば２年１組の教職員が児童を引率して避難する場合について主に説明し、他の教室の教職員が児童を引率して避難する場合についての説明を省略する。
【００３４】
図３は本実施形態の動作を説明する図である。
【００３５】
まず、災害として例えば所定の揺れを超える地震が発生すると、地震計８がこの地震の揺れを検出し、災害発生信号をコントローラ６へ出力する。コントローラ６は、地震計８から災害発生信号を受信すると（コントローラ６側のステップ（以下、Ｄと記す）１）、「災害発生」の文字データを抽出して大型警報表示器１へ出力する（Ｄ２）。
【００３６】
次に、大型警報表示器１は、コントローラ６から「災害発生」の文字データが入力されると、「災害発生」画面２ＡをＬＥＤ表示部２に表示し、フラッシュランプ３を点滅させると共にサイレン４を鳴動させる（大型警報表示器１側のステップ（以下、Ｅと記す）Ｅ１）。
【００３７】
次に、大型警報表示器１の「災害発生」画面２Ａを見た教職員室１３の教職員は、校内放送設備（図示せず）で校内の児童及び教職員全員の避難放送を行う。そして、避難放送を聞いた警戒地域である各教室１７のうち例えば２年１組の教職員は、教室１７内の押釦型送信機１０を押下すると（送信機側のステップ（以下、Ａと記す）１）、押釦型送信機１０は、信号を受信機５へ送信する。その後、２年１組の教職員は、身に付けているペンダント型送信機１１又は腕時計型送信機１２のスイッチ（図示せず）を押下した後、ペンダント型送信機１１又は腕時計型送信機１２を持参し、２年１組の児童を引率して教室１７から避難地１６への避難を開始する（Ａ２）。
【００３８】
一方、受信機５の受信部５Ａは、手順Ａ１において押釦型送信機１０から信号を受信すると（受信機５側のステップ（以下、Ｃと記す）１）、受信機５の送信元識別部５Ｂは送信ＩＤから２年１組を特定する。そして、受信機５の避難状況判定部５Ｄは、受信部５Ａが受信した信号から２年１組の避難状況を認識して避難開始と判定し、「２−１避難開始」の信号をコントローラ６へ送信する（Ｃ２）。
【００３９】
コントローラ６は、避難状況判定部５Ｄから「２−１避難開始」の信号を受信すると、この信号から「２−１避難開始」の文字データを抽出し、「２−１避難開始」の文字データを大型警報表示器１へ出力する（Ｄ３）。大型警報表示器１は、コントローラ６から「２−１避難開始」の文字データが入力されると、「２−１避難開始」画面２ＢをＬＥＤ表示部２に表示する（Ｅ２）。
【００４０】
次に、２年１組の教室から出た教職員は、避難経路の途中にある教職員室１３の近傍を通過すると、第１の中継器９Ａは、送信ＩＤの受信を確認して、例えば２年１組の教職員が持参するペンダント型送信機１１又は腕時計型送信機１２から送信ＩＤを受信し（中継器９Ａ，９Ｂ側のステップ（以下、Ｂと記す）１）、受信した送信ＩＤを受信機５へ送信する（Ｂ２）。
【００４１】
受信機５の受信部５Ａは、手順Ｂ２において第１の中継器９Ａから送信された送信ＩＤを受信すると（Ｃ３）、受信機５の送信元識別部５Ｂは送信ＩＤから２年１組を特定し、受信機５の中継器識別部５Ｃは受信部５Ａが受信した信号が第１の中継器９Ａを経由したと識別する。そして、受信機５の避難状況判定部５Ｄは、受信部５Ａが受信した信号及び中継器識別部５Ｃによって識別された情報から２年１組の避難状況を認識して避難中と判定し、「２−１避難中」の信号をコントローラ６へ出力する（Ｃ４）。
【００４２】
コントローラ６は、手順Ｃ４において避難状況判定部５Ｄから「２−１避難中」の信号が入力されると、この信号から「２−１避難中」の文字データを抽出し、「２−１避難中」の文字データを大型警報表示器１へ出力する（Ｄ４）。大型警報表示器１は、コントローラ６から「２−１避難中」の文字データが入力されると、「２−１避難中」画面２ＣをＬＥＤ表示部２に表示する（Ｅ３）。
【００４３】
次に、教職員室１３の近傍を通過した教職員が避難地１６へ近づくと、第２の中継器９Ｂは、送信ＩＤの受信を確認して、例えば２年１組の教職員が持参するペンダント型送信機１１又は腕時計型送信機１２から送信ＩＤを受信し（Ｂ３）、受信した送信ＩＤを受信機５へ送信する（Ｂ４）。
【００４４】
そして、受信機５の受信部５Ａは、手順Ｂ４において第２の中継器９Ｂから送信された送信ＩＤを受信すると（Ｃ３）、受信機５の送信元識別部５Ｂは送信ＩＤから２年１組を特定し、受信機５の中継器識別部５Ｃは受信部５Ａが受信した信号が第２の中継器９Ｂを経由したと識別する。そして、受信機５の避難状況判定部５Ｄは、受信部５Ａが受信した信号及び中継器識別部５Ｃによって識別された情報から２年１組の避難状況を認識して避難中と判定し、「２−１避難中」の信号をコントローラ６へ出力する（Ｃ４）。
【００４５】
コントローラ６は、手順Ｃ４において避難状況判定部５Ｄから「２−１避難中」の信号が入力されると、この信号から「２−１避難中」の文字データを抽出し、「２−１避難中」の文字データを大型警報表示器１へ出力し続ける（Ｄ４）。大型警報表示器１は、コントローラ６から「２−１避難中」の文字データが入力されると、「２−１避難中」画面２ＣをＬＥＤ表示部２に表示し続ける（Ｅ３）。
【００４６】
次に、教職員が避難地１６へ到着すると、第２の中継器９Ｂは、送信ＩＤの受信を確認して、２年１組の教職員が持参するペンダント型送信機１１又は腕時計型送信機１２から送信された送信ＩＤが受信不能となり（Ｂ５）、送信ＩＤの不可信号を受信機５へ送信する（Ｂ６）。
【００４７】
そして、受信機５の受信部５Ａは、手順Ｂ６において第２の中継器９Ｂから送信された送信ＩＤの不可信号を受信すると（Ｃ５）、受信機５の送信元識別部５Ｂは送信ＩＤの不可信号から２年１組を特定し、受信機５の中継器識別部５Ｃは受信部５Ａが受信した信号が第２の中継器９Ｂを経由したと識別する。そして、受信機５の避難状況判定部５Ｄは、受信部５Ａが受信した信号及び中継器識別部５Ｃによって識別された情報から２年１組の避難状況を認識して避難完了と判定し、「２−１避難完了」の信号をコントローラ６へ出力する（Ｃ６）。
【００４８】
コントローラ６は、手順Ｃ６において避難状況判定部５Ｄから「２−１避難完了」の信号が入力されると、この信号から「２−１避難完了」の文字データを抽出し、「２−１避難完了」の文字データを大型警報表示器１へ出力する（Ｄ５）。大型警報表示器１は、コントローラ６から「２−１避難完了」の文字データが入力されると、「２−１避難完了」画面２ＤをＬＥＤ表示部２に表示する（Ｅ４）。
【００４９】
一方、教頭（災害が発生したときの責任者（複数人でも良い））は、大型警報表示器１に表示される教室１７毎の避難状況を確認し、手順Ｅ３において大型警報表示器１のＬＥＤ表示部２に避難中の表示がなされていない教室１７に対して避難指示を行う。そして、教頭は、全教室１７が避難中であることを確認すると、避難していないで学校の敷地Ａ内に残っている児童の確認を行いながら自らも避難地１６へ避難する。
【００５０】
次に、避難が終了すると、教頭は教職員室１３に戻り、コントローラ６の警報リセット釦６Ｂを押下する（Ｄ６）。そして、警報リセット釦６Ｂは、大型警報表示器１へ終了指令信号を出力し（Ｄ７）、大型警報表示器１は、終了指令信号が入力されると、ＬＥＤ表示部２を消灯し、フラッシュランプ３を消灯させると共にサイレン４を停止させる（Ｅ５）。その後、教頭又は教職員がパソコン７をコントローラ６へ接続することにより、パソコン７の記憶装置に格納された履歴情報を取得して各教室１７の避難開始時刻や避難地１６への到着時刻を検証し、本実施形態の動作を終了する。
【００５１】
このように構成した本実施形態によれば、災害が発生したり、あるいは避難訓練を行うときに、避難誘導者である教職員は、押釦型送信機１０を押下し、ペンダント型送信機１１又は腕時計型送信機１２を持参して児童を引率しながら避難地１６へ向かうだけで良いので、迅速な避難を実行することができる。さらに、受信機５の避難状況判定部５Ｄによって各教室１７の避難状況が大型警報表示器１のＬＥＤ表示部２に表示されるので、有事における対応指示を行う教職員の責任者である教頭は各教室１７の避難状況を正確に把握することができる。
【００５２】
また、本実施形態は、避難経路において電波の受信が良好な教職員室１３の外壁に第１の中継器９Ａを設置すると共に、ペンダント型送信機１１又は腕時計型送信機１２を持参する教職員が避難地１６へ到着したときにペンダント型送信機１１又は腕時計型送信機１２からの信号が受信不能となる位置に第２の中継器９Ｂを設置している。そのため、ペンダント型送信機１１又は腕時計型送信機１２からの信号が第１の中継器９Ａ及び第２の中継器９Ｂのうち、いずれの中継器を経由したのかを受信機５の中継器識別部５Ｃで識別することにより、避難経路を移動して避難する教職員の位置を的確に把握することができる。これにより、受信機５の避難状況判定部５Ｄによる各教室１７の避難状況の判定精度を高めることができる。
【００５３】
また、本実施形態は、大型警報表示器１のＬＥＤ表示部２に避難状況として、「２−１避難開始」画面２Ｂ、「２−１避難中」画面２Ｃ、及び「２−１避難完了」画面２Ｄが避難を行っている教室１７に対応して表示されるので、有事における対応指示を行う教職員の責任者である教頭がこれらの画面２Ｂ〜２Ｄを確認することにより、各教室１７の避難状況を容易に把握することができる。これにより、教頭は、避難が遅れている教室１７に対する指示を確実に行うことができると共に、自らの避難時期も判断できるので、災害が発生したときの被害を抑えることができる。
【００５４】
また、本実施形態は、災害が発生したときに、大型警報表示器１のＬＥＤ表示部２に「災害発生」が表示されるだけでなく、フラッシュランプ３が点滅すると共に、サイレン４も鳴動するので、教職員室１３内にいる教頭や教職員に対して注意を喚起することができる。特に、大型警報表示器１は学校の教職員室１３の天井近傍の高所に設置されており、表示された内容が確認し易くなっているので、教頭や教職員を避難への行動に円滑に移すことができる。
【００５５】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５６】
また、本実施形態は、地震計８が地震の揺れを検出して災害発生信号をコントローラ６へ出力した場合について説明したが、この場合に限らず、地震計８の代わりに災害発生信号と等価な信号を出力するコントローラ６の災害発生押釦６Ａを押下しても良い。これにより、避難訓練のときに実際に災害が発生したときと同様の動作が行われるので、有効な避難訓練を実施することができる。
【００５７】
また、本実施形態は、第２の中継器９Ｂは、ペンダント型送信機１１又は腕時計型送信機１２を持参する教職員が避難地１６へ到着したときにペンダント型送信機１１又は腕時計型送信機１２からの信号が受信不能となる位置に設置された場合について説明したが、この場合に限らず、ペンダント型送信機１１又は腕時計型送信機１２を持参する教職員が避難地１６へ到着したときにペンダント型送信機１１又は腕時計型送信機１２のスイッチをＯＦＦにしても良い。
【００５８】
また、本実施形態は、受信機５が押釦型送信機１０と無線で接続された場合について説明したが、この場合に限らず、受信機５は押釦型送信機１０と有線で接続されていても良い。
【符号の説明】
【００５９】
１  大型警報表示器
２  ＬＥＤ表示部
３  フラッシュランプ
４  サイレン
５  受信機
５Ａ  受信部
５Ｂ  送信元識別部
５Ｃ  中継器識別部
５Ｄ  避難状況判定部
６  コントローラ
９Ａ  第１の中継器
９Ｂ  第２の中継器
１０  押釦型送信機
１１  ペンダント型送信機
１２  腕時計型送信機
１６  避難地
【図１】
2014099038.tif 000003
【図２】
2014099038.tif 000004
【図３】
2014099038.tif 000005